(57)【要約】【課題】  プレイリスト作成の支援を行うことができる画像記録再生装置及び画像記録再生方法を提供する。【解決手段】  記録媒体１１１は、画像データ１１３及び複数のプレイリスト１１２を記録する。合成選択部１１５は、合成対象となるプレイリストの選択を利用者に促すプレイリスト選択画面４０１を表示部１０５に表示する。プレイリスト作成・実行部１０８は、合成選択部１１５が選択した複数のプレイリスト１１２を記録媒体１１１から読み出して、合成することで新たなプレイリストを作成する。【選択図】  図１
2005197913.tif 000002
【特許請求の範囲】
【請求項１】
記録媒体に記録された画像データおよび、それぞれ前記画像データの再生手順を示す複数のプレイリストを処理する画像処理装置であって、
前記記録媒体から読み出した複数のプレイリストを合成して新たなプレイリストを作成するプレイリスト合成手段を具備することを特徴とする画像処理装置。
【請求項２】
前記プレイリスト合成手段が合成の対象とするプレイリストを選択する選択手段と、
前記プレイリスト合成手段が合成の際に従う規則を定義する合成規則を設定する設定手段と、
前記プレイリスト合成手段が合成の対象とするプレイリストから前記合成規則に関する情報を収集する情報収集手段と
を更に具備し、
前記プレイリスト合成手段は、前記選択手段が選択したプレイリストに対して、前記情報収集手段が収集した前記情報を基に、前記設定手段が設定した前記合成規則に従って複数のプレイリストを合成して新たなプレイリストを作成すること
を特徴とする請求項１に記載の画像処理装置。
【請求項３】
前記プレイリスト合成手段が合成した新たなプレイリストに対して、重複するファイルがある場合に、削除処理またはファイルの種類に応じた処理を行う重複処理手段を更に具備することを特徴とする請求項１または２に記載の画像処理装置。
【請求項４】
前記設定手段により設定される前記合成規則は、合成の対象となるプレイリストの作成日時と、合成の対象となるプレイリスト内のファイルの撮影日時と、合成の対象となるプレイリストの再生頻度と、合成の対象となるプレイリスト内のファイルの圧縮率とのいずれか一つまたは組み合わせを利用したものであることを特徴とする請求項１〜３のいずれか１項に記載の画像処理装置。
【請求項５】
前記設定手段により設定される前記合成規則が合成の対象となるプレイリストの再生頻度を利用したものである場合に、前記プレイリストの再生回数を記録する記録手段を更に具備することを特徴とする請求項１〜４のいずれか１項に記載の画像処理装置。
【請求項６】
前記重複処理手段のファイルの種類に応じた処理とは、ファイルの種類が静止画像の場合には、重複しているファイルが連続再生されるようまとめる処理であることを特徴とする請求項３に記載の画像処理装置。
【請求項７】
前記重複処理手段のファイルの種類に応じた処理とは、ファイルの種類が動画像の場合には、重複しているファイルにおける同一カット部分が繰り返し再生されるようまとめる処理であることを特徴とする請求項３または６に記載の画像処理装置。
【請求項８】
前記設定手段により前記プレイリスト合成手段が合成する新たなプレイリストの再生時間が設定される場合に、前記プレイリスト合成手段は、前記設定された前記再生時間内となるよう新たなプレイリストを合成することを特徴とする請求項１〜７のいずれか１項に記載の画像処理装置。
【請求項９】
記録媒体に記録された画像データおよび、それぞれ前記画像データの再生手順を示す複数のプレイリストを処理する画像処理装置を用いた画像処理方法であって、
前記記録媒体から読み出した複数のプレイリストを合成して新たなプレイリストを作成するプレイリスト合成処理することを特徴とする画像処理方法。
【発明の詳細な説明】
【技術分野】
【０００１】
本発明は、動画像および静止画像を記録媒体に記録することの可能なデジタルカメラまたはカメラ一体型ＶＴＲ（ビデオカメラ）等の画像処理装置及び画像処理方法に関するものである。
【背景技術】
【０００２】
従来、記録媒体に記録された画像データや音声データの再生順や再生時間などの再生手順を示したリスト（以下、プレイリストとする）を生成し、このプレイリストに従ってデータを再生する技術が開示されている（例えば、特許文献１参照。）。
また、このプレイリストが複数設定可能な画像記録再生装置もあり、目的に応じて細分化したプレイリストの作成が可能となる。また、撮影時のシーンの切れ目を自動検出し、シーンごとに並んだプレイリストを自動的に作成する機能を有する画像記録再生装置もある。
【０００３】
【特許文献１】特開２００２−３５４４２５号公報
【発明の開示】
【発明が解決しようとする課題】
【０００４】
しかしながら、従来プレイリストによる再生が可能な画像記録再生装置では、目的に応じてプレイリストの細分化を行うことが可能であるが、複数の作成済みプレイリストの再生を行う場合に、複数プレイリストを順に再生するしかない。例えば、プレイリスト内のファイル順を入れ替えたい場合には、再度新たなプレイリストの作成を自分で行う必要があり、作業が煩雑であるという問題があった。特に、多くのファイルを含んだプレイリストを作成するのは、プレイリスト内のファイル検索性や操作性が煩雑になり、作業が困難になるという問題があった。
【０００５】
本発明は、上述した事情を考慮してなされたもので、プレイリスト作成の支援を行うことができる画像処理装置及び画像処理方法を提供することを目的とする。
【課題を解決するための手段】
【０００６】
この発明は、上述した課題を解決すべくなされたもので、本発明による画像処理装置においては、少なくとも画像データおよび複数のプレイリストを記録する記録媒体と、記録媒体から読み出した複数のプレイリストを合成して新たなプレイリストを作成するプレイリスト合成手段とを具備することを特徴とする。
【０００７】
また、本発明による画像処理方法においては、少なくとも画像データおよび複数のプレイリストを記録する記録媒体より合成の対象とするプレイリストを選択する選択ステップと、選択ステップで選択した複数のプレイリストを記録媒体から読み出して、合成することで新たなプレイリストを作成するプレイリスト合成ステップとを有することを特徴とする。
【発明の効果】
【０００８】
本発明による画像処理装置及び画像処理方法は、記録媒体より合成の対象とするプレイリストを読み出して、合成することで新たなプレイリストを作成するので、プレイリスト作成の手間を軽減することができるという効果がある。
【発明を実施するための最良の形態】
【０００９】
以下、図面を用いて本発明の実施形態について説明する。
［第１の実施形態］
まず、本発明の第１の実施形態における画像記録再生装置（画像処理装置）の概略構成について説明する。図１は、本発明の第１の実施形態における画像記録再生装置の概略構成を示すブロック図である。図１において、１０１は、撮像素子であり、レンズに入射した被写体画像を電気信号に変換し、ディジタル撮像データを出力する。１０２は、カメラ信号処理部であり、撮像素子１０１が出力するディジタル撮像データに対して輝度処理、色処理及びホワイトバランスなどの信号処理を行い、画像データを出力する。１０３は、記録・再生処理部であり、記録媒体１１１に対してカメラ信号処理部１０２が出力する画像データを書き込む処理や、記録媒体１１１から画像データを読み出す処理を行う。
【００１０】
１０４は、出力処理部であり、撮影時にカメラ信号処理部１０２が出力する画像データや記録・再生処理部１０３が記録媒体１１１から読み出した画像データを、外部出力信号（ビデオ信号）に変換して出力したり、表示部１０５に表示可能な表示データへ変換して出力したりする。１０５は、表示部であり、例えばビューファインダや液晶パネルなどであり、撮影画像の確認や再生画像の表示および設定メニューなどの表示を行う。１０６は光学系制御部であり、撮像素子１０１の撮像面前方に設置されている光学系（レンズ、絞りなど）に対してフォーカスや絞りなどの制御を行う。
【００１１】
１０７は、システムコントローラであり、各処理部の状態管理や実行処理制御などを行う。また、図１に示すように、システムコントローラ１０７は、プレイリスト作成・実行部（プレイリスト合成手段）１０８、合成設定部（設定手段）１１４、合成選択部（選択手段）１１５、プレイリスト情報収集部（情報収集手段）１１６及び重複ファイル処理部（重複処理手段）１１７の構成要素を含んでいる。
【００１２】
プレイリスト作成・実行部１０８は、プレイリストの作成及び再生時のプレイリスト実行時の解釈を行い、記録・再生処理部１０３が再生するファイルの指定を行う。合成設定部１１４は、利用者がプレイリスト合成時の規則設定を行うための画面表示および設定の記憶を行う。合成選択部１１５は、合成するプレイリストの選択を行うために作成済みのプレイリストを含むプレイリスト選択画面の表示および選択されたプレイリストの記憶を行う。プレイリスト情報収集部１１６は、合成選択部１１５で選択されたプレイリストから、合成設定部１１４で設定された合成規則に関する情報の収集を行う。重複ファイル処理部１１７は、プレイリスト合成で重複したファイルについての登録削除やリピート再生登録などの処理を行う。
【００１３】
また、プレイリスト作成・実行部１０８は、通常の利用者が選択したファイルによるプレイリスト作成のほか、合成設定部１１４の設定により、合成選択部１１５で選択されたプレイリストについて、プレイリスト合成による新規作成を行う。
【００１４】
１０９は、操作部であり、具体的には、利用者が画像記録装置に対して撮影開始／終了などの処理実行・停止指示を行うための本体ボタン・スイッチや、再生／停止などを遠隔操作可能なリモコンなどである。また、操作部１０９は、プレイリスト登録指示部１１０を含む構成である。これにより、プレイリスト作成・実行部１０８でプレイリスト作成を行う際に表示部１０５で記録画像の確認を行いながら、プレイリスト登録指示部１１０の操作部で動画には目印（マーカー）や区間（シーン）を、静止画には目印を設定し、再生の順番やカットの長さを決定し、プレイリスト作成を行う。
【００１５】
１１１は、記録媒体であり、ここではランダムアクセス可能な磁気ディスク・光ディスクなどが用いられ、記録媒体内には画像データ（画像ファイル）１１３とともにプレイリスト１１２が記録される。また、画像データ１１３には撮影に関する基本情報（撮影日時、Ｆ値／シャッタ速度／Ｇａｉｎなど）も同時に記録される。さらにＧＰＳ機能やネット接続機能を有する画像記録再生装置では、これらの機能を活用した撮影位置情報や天候情報などを記録することも可能である。また、図１に示すプレイリスト１１２は記録媒体１１１内のプレイリストを可視化したもので、画像データ１１３は記録媒体１１１内の画像ファイル（動画／静止画）を可視化したものである。
【００１６】
次に、図１に示した画像記録再生装置におけるプレイリスト合成処理について説明する。
図２は、図１に示した画像記録再生装置におけるプレイリスト合成処理を示すフロー図である。
図２に示すように、ステップＳ２０１おいて、画像記録再生装置は、プレイリスト合成を実行するか否かの判断を行う。ここで、プレイリスト合成を実行しないと判断した場合（ステップＳ２０１のＮｏ）には、画像記録再生装置は、プレイリスト合成処理を行うことなく処理終了となる。また、プレイリスト合成を実行すると判断した場合（ステップＳ２０１のＹｅｓ）には、ステップＳ２０２に進み、画像記録再生装置は、複数の作成済みプレイリストが存在するか否かの確認を行う。
【００１７】
このステップＳ２０２において、プレイリストが一つしか存在しない場合（ステップＳ２０２のＮｏ）には、プレイリスト合成処理は終了となる。二つ以上のプレイリストが存在する場合（ステップＳ２０２のＹｅｓ）には、合成設定部１１４は、ステップＳ２０３に進み、プレイリスト合成処理の合成規則の設定を行う。具体的には、合成設定部１１４は、合成規則の設定を行うために表示部１０５に図３に示すような合成規則設定画面３０１を表示することで、利用者に合成規則の設定を促す。図３は、本実施形態におけるプレイリスト合成処理における合成規則設定画面例を示す図である。
【００１８】
図３に示すように、合成規則設定画面３０１は、合成設定の項目を選択するエリアである合成設定項目エリア３０２と、合成設定項目エリア３０２で選択した合成設定の項目について、どのような順でソート（並び換え）を行うかソートの種類を選択するソート順エリア３０３とから構成されている。合成設定項目エリア３０２は、「プレイリスト作成日時」、「ファイル撮影日時」、「プレイリスト再生頻度」から一つをラジオボタン３０４により選択可能な構成である。ソート順エリア３０３は、ソートする種類として「古い順」（日時の古い順）や「高い順」（頻度の高い順）などをチェックボックス３０５により指定することができる。
【００１９】
尚、本実施形態においては、図３に示すように合成規則の設定を選択することで行ったが、この限りではなく、より高度な合成を行う場合には規則を選択するのではなく識別子と論理演算子などの組み合わせにより合成規則の設定を行うことができるようにしてもよい。また、本実施形態においては、図３に示すように、プレイリストの作成日時の古い順が合成規則として設定されたものとして説明する。
【００２０】
次に、ステップＳ２０４において、合成選択部１１５は、合成するプレイリストの選択処理を行う。具体的には、合成選択部１１５は、表示部１０５に図４に示すようなプレイリスト選択画面４０１が表示され、利用者に合成対象となるプレイリストの選択を促す。図４は、本実施形態におけるプレイリスト選択画面例を示す図である。図４に示すプレイリスト選択画面４０１において、合成の対象となる作成済みプレイリストの一覧がプレイリスト選択エリア４０３に表示される。このプレイリスト選択エリア４０３に表示される各プレイリストには、合成対象とするか否かを選択する選択欄４０４が付与されており、この選択欄４０４をチェックすることで、そのプレイリストを選択したことになる。選択欄４０４のチェックにより選択されたプレイリストは、合成対象リストエリア４０２に一覧で表示される。
【００２１】
次に、ステップＳ２０５において、プレイリスト情報収集部１１６は、選択されたプレイリストの情報収集を設定された合成規則に応じて行う。本実施形態においては、ステップＳ２０３で、プレイリストの作成日時の古い順という合成規則が設定されているため、プレイリスト情報収集部１１６は、ステップＳ２０４で選択されたプレイリストの作成日時を情報として収集する。
【００２２】
次に、ステップＳ２０６において、プレイリスト作成・実行部１０８は、プレイリスト情報収集部１１６が収集した情報を基にプレイリストの合成処理を行う。具体的には、プレイリスト作成・実行部１０８は、ステップＳ２０４で選択されたプレイリストの作成日時の古い順にプレイリストの展開を行い、プレイリストに含まれるファイル情報（マーク・シーン）を順に新規プレイリストに登録し合成（再構築）を行う。
【００２３】
次に、ステップＳ２０７において、重複ファイル処理部１１７は、重複ファイルの処理を行う。具体的には、重複ファイル処理部１１７は、プレイリストに登録するファイル・カットは重複させない（同一ファイル・カットを複数登録しない）として、合成されたプレイリスト内に含まれる重複ファイル・カットに対して、最初に登録されたものを除き削除する処理を行う。次に、ステップＳ２０８において、記録・再生処理部１０３は、ステップＳ２０６、Ｓ２０７により作成されたプレイリストを記録媒体１１１に記録して、処理を終了する。
【００２４】
以上に示すように、本実施形態の画像記録再生装置は、プレイリスト合成処理により、選択されたプレイリストからプレイリスト作成日時順に重複ファイルを含まない新規プレイリストを作成することができる。すなわち、利用者が設定した合成規則に従い複数プレイリストの情報収集を行い、それらの収集した情報を基にプレイリスト内のファイル再生順も含めてプレイリストの合成（再構築）を行うことで、プレイリスト作成の支援を行うことができる。
【００２５】
［他の処理例１］
上述した図２のステップＳ２０３において、合成規則の設定がプレイリスト内のファイル撮影日時の古い順とした場合の処理について他の処理例１として説明する。他の処理例１では、上述した実施形態とステップＳ２０５、Ｓ２０６の処理のみが異なるので、異なる部分のみ説明する。ステップＳ２０５において、プレイリスト情報収集部１１６は、ステップＳ２０４で選択されたプレイリスト内の各ファイルにおける撮影日時の情報を収集する。次に、ステップＳ２０６において、プレイリスト作成・実行部１０８は、撮影日時の古いファイル順にそのファイルが含まれるプレイリストからファイル情報を新規プレイリストに登録し合成（再構築）を行う。以上に示した他の処理例１の処理により、合成選択されたプレイリストからファイル撮影日時順に合成された新規プレイリストが作成される。
【００２６】
［他の処理例２］
上述した図２のステップＳ２０３において、合成規則の設定がプレイリストの再生頻度の高い順とした場合の処理について他の処理例２として説明する。尚、他の処理例２では、上述した実施形態とステップＳ２０５、Ｓ２０６の処理のみが異なるので、異なる部分のみ説明する。また、本他の処理例２では、画像記録再生装置は、各プレイリストの再生回数を各プレイリスト情報あるいは特定の領域に記録する機能（記録手段）を有するものとする。ステップＳ２０５において、プレイリスト情報収集部１１６は、ステップＳ２０４で選択されたプレイリスト内の再生頻度の情報を収集する。次に、ステップＳ２０６において、プレイリスト作成・実行部１０８は、再生頻度の高い順にプレイリストの展開を行い、プレイリストに含まれるファイル情報（マーク・シーン）を順に新規プレイリストに登録し合成（再構築）を行う。以上に示した他の処理例２の処理により、合成選択されたプレイリストからプレイリスト再生頻度順に合成された新規プレイリストを作成することができる。
【００２７】
［他の処理例３］
画像記録再生装置では、多くの装置が画像データを圧縮して記録を行っており、そのような装置では圧縮率の選択が行えるものが存在する。利用者は一般に貴重な画像ほど圧縮率を低く設定することが多く、圧縮率は画像の重要度と関係することが多い。そこで他の処理例３として、上述した図２のステップＳ２０３において、合成規則の設定がプレイリスト内のファイル圧縮率の低い順とした場合の処理について説明する。尚、他の処理例３では、上述した実施形態とステップＳ２０５、Ｓ２０６の処理のみが異なるので、異なる部分のみ説明する。ステップＳ２０５において、プレイリスト情報収集部１１６は、ステップＳ２０４で選択されたプレイリスト内の各ファイルの圧縮率の情報を収集する。次に、ステップＳ２０６において、プレイリスト作成・実行部１０８は、圧縮率の低い順にそのファイルが含まれるプレイリストからファイル情報を新規プレイリストに登録し合成（再構築）を行う。圧縮率が同じファイルの処理については、プレイリスト登録順のままにすることも、他の処理例２における設定を併用することも可能である。以上に示した他の処理例３の処理により、選択されたプレイリストから圧縮率順（＝重要度順となる可能性が高い）に合成された新規プレイリストを作成することができる。
【００２８】
［他の処理例４］
上述した図２のステップＳ２０７において、重複ファイルの処理がプレイリストに登録するファイル・カットを重複させる（同一ファイル・カットを複数登録する）とした場合の処理について他の処理例４として説明する。尚、他の処理例４では、上述した実施形態とステップＳ２０７の処理のみが異なるので、異なる部分のみ説明する。ステップＳ２０７において、重複ファイル処理部１１７は、合成されたプレイリスト内に含まれる重複ファイル・カットに対して、静止画についてはプレイリスト再生での一静止画あたりの再生時間を重複分延長する処理を行い、動画についてはカット（例えば１シーンなど映像の切り換り単位）の重複部をそのカット部分について繰り返すように登録を行う。以上に示した他の処理例４の処理により、合成選択されたプレイリストからプレイリスト作成日時順に重複ファイルの数を反映させた合成新規プレイリストを作成することができる。
【００２９】
［第２の実施形態］
次に、本発明の第２の実施形態として、利用者が指定（制限）した再生時間に応じたプレイリストの合成処理を行う画像記録再生装置について説明する。尚、第２の実施形態における画像記録再生装置の概略構成は、図１に示した第１の実施形態における画像記録再生装置の概略構成と同様であり、説明を省略する。
【００３０】
次に、第２の実施形態における画像記録再生装置のプレイリスト合成処理について説明する。
図５は、第２の実施形態における画像記録再生装置のプレイリスト合成処理を示す図である。尚、図５におけるステップＳ５０１〜Ｓ５０７の処理は、第１の実施形態として図２に示したステップＳ２０１〜Ｓ２０７と同一処理であるため、説明を省略する。
【００３１】
ステップＳ５０４の次に、ステップＳ５４１において、合成設定部１１４は、合成後のプレイリスト再生時間の設定を行う。この場合、合成設定部１１４は、ステップＳ５０４で合成プレイリスト選択時に参考値として選択されたプレイリストの再生時間を単純に合計したものを表示することが可能であり、この時間を制限したい場合に利用者は合成プレイリスト再生時間の上限値を設定する。ステップＳ５４１の後は、ステップＳ５０５〜Ｓ５０７の処理が、図２のステップＳ２０５〜Ｓ２０７と同様におこなわれる。
【００３２】
ステップＳ５０７の次に、ステップＳ５７１において、プレイリスト作成・実行部１０８は、プレイリストの再生時間がステップＳ５４１で設定された上限時間を越えていないか判断を行う。ここで、再生時間が上限時間を越えていないと判断した場合（ステップＳ５７１のＹｅｓ）には、ステップＳ５０８において、記録・再生処理部１０３は、ステップＳ５０６、Ｓ５０７により作成されたプレイリストを記録媒体１１１に記録して、処理を終了する。また、上限時間を越えていると判断した場合（ステップＳ５７１のＮｏ）には、ステップＳ５７２に進み、プレイリスト作成・実行部１０８は、プレイリストに最後に登録されているファイルの削除を行い、ステップＳ５７１に戻る。すなわち、プレイリスト作成・実行部１０８は、再生時間が上限時間を越えなくなるまでステップＳ５７２の処理を繰り返す。以上に説明したように、第２の実施形態における画像記録再生装置は、合成選択されたプレイリストから利用者が指定（制限）した再生時間内の新規プレイリストを作成することができる。
【００３３】
尚、上述した各実施形態で述べた新規プレイリストの作成処理において、合成規則に応じたプレイリストの合成（ステップＳ２０６、Ｓ５０６）、重複ファイルの処理（ステップＳ２０７、Ｓ５０７）、再生上限時間処理（ステップＳ５７１、Ｓ５７２）を順に行っていたが、必ずしも各ステップを終了してから次のステップへ進む必要はなく、プレイリスト合成に採用する一般的に知られた検索・ソートのアルゴリズムにより最適な形で行われるものとする。また、合成規則に設定する項目は、画像記録再生装置の有する機能により情報量が異なるため上述した各実施形態で説明した項目に制限されることなく適用が可能である。
【００３４】
以上に説明したように、上述した実施形態における画像記録再生装置においては、細分化された複数プレイリストがあり、それらプレイリストに含まれるファイルを用いて新たなプレイリストを作成する場合において、利用者の設定に応じてプレイリストの合成を行うことが可能となるため、利用者は細分化した少数ファイルのプレイリストを作成すればよく、プレイリスト作成の手間を軽減することができるという効果がある。また、利用者が設定した規則に従い複数プレイリストの情報収集を行い、プレイリスト内のファイル再生順も含めてプレイリストの合成（再構築）を行うことができるので、効率的なプレイリスト作成の支援を行うことができる。
【００３５】
尚、上述した実施形態における画像記録再生装置のシステムコントローラ１０７における各ブロックの処理機能を実現する為のプログラムをメモリより読み出して中央処理装置（ＣＰＵ）が実行することによりその機能を実現させてもよいし、各処理の全部または一部の機能を専用のハードウェアにより実現してもよい。
【００３６】
また、上述したメモリは、光磁気ディスク装置、フラッシュメモリ等の不揮発性のメモリや、ＣＤ−ＲＯＭ等の読み出しのみが可能な記録媒体、ＲＡＭ以外の揮発性のメモリ、あるいはこれらの組み合わせによるコンピュータ読み取り、書き込み可能な記録媒体より構成されてもよい。
【００３７】
また、上述した画像記録再生装置のシステムコントローラ１０７において各種処理を行う機能を実現する為のプログラムをコンピュータ読み取り可能な記録媒体に記録して、この記録媒体に記録されたプログラムをコンピュータシステムに読み込ませ、実行することにより各処理を行っても良い。なお、ここでいう「コンピュータシステム」とは、ＯＳや周辺機器等のハードウェアを含むものとする。
【００３８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００３９】
また、上記プログラムは、前述した機能の一部を実現する為のものであっても良い。さらに、前述した機能をコンピュータシステムに既に記録されているプログラムとの組み合わせで実現できるもの、いわゆる差分ファイル（差分プログラム）であっても良い。
【００４０】
また、上記のプログラムを記録したコンピュータ読み取り可能な記録媒体等のプログラムプロダクトも本発明の実施形態として適用することができる。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４１】
【図１】本発明の第１の実施形態における画像記録再生装置の概略構成を示すブロック図である。
【図２】図１に示した画像記録再生装置におけるプレイリスト合成処理を示すフロー図である。
【図３】本実施形態におけるプレイリスト合成処理における合成規則設定画面例を示す図である。
【図４】本実施形態におけるプレイリスト選択画面例を示す図である。
【図５】第２の実施形態における画像記録再生装置のプレイリスト合成処理を示す図である。
【符号の説明】
【００４２】
１０１    撮像素子
１０２    カメラ信号処理部
１０３    記録・再生処理部
１０４    出力処理部
１０５    表示部
１０６    光学系制御部
１０７    システムコントローラ
１０８    プレイリスト作成・実行部
１０９    操作部
１１０    プレイリスト登録指示部
１１１    記録媒体
１１２    プレイリスト
１１３    画像データ
１１４    合成設定部
１１５    合成選択部
１１６    プレイリスト情報収集部
３０１    合成規則設定画面
３０２    合成設定項目エリア
３０３    ソート順エリア
４０１    プレイリスト選択画面
４０２    合成対象リストエリア
４０３    プレイリスト選択エリア
４０４    選択欄
【図１】
2005197913.tif 000003
【図２】
2005197913.tif 000004
【図３】
2005197913.tif 000005
【図４】
2005197913.tif 000006
【図５】
2005197913.tif 000007